(57)【要約】【課題】  有名人の顔やプロフィール情報をデータベースに登録しておき、撮影した利用者の顔に近い有名人を抽出して情報を提供し、さらにその有名人に関連した背景画像と利用者の顔画像とを合成して印刷するようにした技術を提供する。【解決手段】  利用者の顔を撮影するカメラ１１と、表示部１２と、印刷部１４と、複数の人物の顔画像をプロフィール情報とその人物に関連する背景画像とともに登録した有名人情報ＤＢ１５とを有し、カメラ１１で撮像した利用者の顔画像を有名人情報ＤＢ１５に登録された各人物の顔画像と比較して類似度を計算し、計算した類似度が最も大きい人物に関する情報と計算した類似度を表示部１２に表示し、利用者の顔画像と抽出された人物の背景画像とを合成して印刷する。【選択図】      図１
2005242433.tif 000002
【特許請求の範囲】
【請求項１】
利用者の顔を撮影するカメラと、文字や画像を表示する表示部と、複数の人物の顔画像をプロフィール情報とともに登録した人物情報データベースとを有し、
前記カメラで撮像した利用者の顔画像を前記人物情報データベースに登録された各人物の顔画像と比較して類似度を計算し、計算した類似度が最も大きい人物に関する情報と計算した類似度を表示部に表示することを特徴とする撮影印刷装置。
【請求項２】
利用者の顔を撮影するカメラと、文字や画像を表示する表示部と、複数の人物の顔画像をプロフィール情報とその人物に関連する背景画像とともに登録した人物情報データベースとを有し、
前記カメラで撮像した利用者の顔画像を前記人物情報データベースに登録された各人物の顔画像と比較して類似度を計算し、計算した類似度が最も大きい人物に関する情報と計算した類似度を表示部に表示し、利用者の顔画像と抽出された人物の背景画像とを合成することを特徴とする撮影印刷装置。
【請求項３】
前記人物情報データベースは前記人物に関連する背景画像を人物毎に複数登録し、利用者に選択された背景画像と利用者の顔画像とを合成することを特徴とする請求項２の撮影印刷装置。
【請求項４】
文字や画像を印刷する印刷部を有し、前記合成した画像を印刷部で印刷することを特徴とする請求項２又は３の撮影印刷装置。
【請求項５】
前記人物情報データベースは、一般に広く知られている芸能人、スポーツ選手、政治家を含む有名人に関する顔画像とプロフィール情報とを登録したことを特徴とする請求項１乃至４のいずれかの撮影印刷装置。
【請求項６】
利用者の顔を撮影しサービスを提供する１以上の撮影印刷装置とサーバ装置とこれらを接続するネットワークからなる撮影印刷システムであって、
前記撮影印刷装置は、利用者の顔を撮影するカメラと、文字や画像を表示する表示部とを有し、前記カメラで撮像した利用者の顔画像に最も類似する人物情報の検索要求を前記サーバ装置に送り、前記サーバ装置から返送された最も類似する人物に関する情報と類似度を表示部に表示し、
前記サーバ装置は、複数の人物の顔画像をプロフィール情報とともに登録した人物情報データベースを有し、前記検索要求を受けると受け取った利用者の顔画像を前記人物情報データベースに登録された各人物の顔画像と比較して類似度を計算し、計算した類似度が最も大きい人物に関する情報と計算した類似度を返送することを特徴とする撮影印刷システム。
【請求項７】
利用者の顔を撮影しサービスを提供する１以上の撮影印刷装置とサーバ装置とこれらを接続するネットワークからなる撮影印刷システムであって、
前記撮影印刷装置は、利用者の顔を撮影するカメラと、文字や画像を表示する表示部とを有し、前記カメラで撮像した利用者の顔画像に最も類似する人物情報の検索要求を前記サーバ装置に送り、前記サーバ装置から返送された最も類似する人物のプロフィール情報と類似度とを表示部に表示し、利用者の顔画像と返送された人物の背景画像とを合成し、
前記サーバ装置は、複数の人物の顔画像をプロフィール情報とその人物に関連する背景画像とともに登録した人物情報データベースを有し、前記検索要求を受けると受け取った利用者の顔画像を前記人物情報データベースに登録された各人物の顔画像と比較して類似度を計算し、計算した類似度が最も大きい人物のプロフィール情報と背景画像と計算した類似度とを返送することを特徴とする撮影印刷システム。
【請求項８】
前記人物情報データベースは前記人物に関連する背景画像を人物毎に複数登録し、前記撮影印刷装置は利用者に選択された背景画像と利用者の顔画像とを合成することを特徴とする請求項７の撮影印刷システム。
【請求項９】
前記撮影印刷装置は、文字や画像を印刷する印刷部を有し、前記合成した画像を印刷部で印刷することを特徴とする請求項７又は８の撮影印刷システム。
【請求項１０】
前記人物情報データベースは、一般に広く知られている芸能人、スポーツ選手、政治家を含む有名人に関する顔画像とプロフィール情報とを登録したことを特徴とする請求項６乃至９のいずれかの撮影印刷システム。
【請求項１１】
利用者の顔画像カメラで撮影し、複数の人物の顔画像をプロフィール情報とともに登録した人物情報データベースの各人物の顔画像と前記撮影した利用者の顔画像とを比較して類似度を計算し、計算した類似度が最も大きい人物に関する情報と計算した類似度を表示することを特徴とする撮影印刷方法。
【請求項１２】
利用者の顔画像カメラで撮影し、複数の人物の顔画像をプロフィール情報とその人物に関連する背景画像とともに登録した人物情報データベースの各人物の顔画像と前記撮影した利用者の顔画像とを比較して類似度を計算し、計算した類似度が最も大きい人物に関する情報と計算した類似度を表示し、撮影した利用者の顔画像と類似度が最も大きい人物の背景画像とを合成することを特徴とする撮影印刷方法。
【請求項１３】
利用者の顔画像カメラで撮影し、複数の人物の顔画像をプロフィール情報とその人物に関連する複数の背景画像とともに登録した人物情報データベースの各人物の顔画像と前記撮影した利用者の顔画像とを比較して類似度を計算し、計算した類似度が最も大きい人物に関する情報と計算した類似度を表示し、撮影した利用者の顔画像と利用者が選択した類似度が最も大きい人物の背景画像とを合成することを特徴とする撮影印刷方法。
【請求項１４】
前記合成した画像を合成語後に表示又は印刷することを特徴とする請求項１２又は１３の撮影印刷方法。
【請求項１５】
利用者の顔画像カメラで撮影する手順と、複数の人物の顔画像をプロフィール情報とともに登録した人物情報データベースの各人物の顔画像と前記撮影した利用者の顔画像とを比較して類似度を計算する手順と、計算した類似度が最も大きい人物に関する情報と計算した類似度を表示する手順とをコンピュータに実行させることを特徴とするプログラム。
【請求項１６】
利用者の顔画像カメラで撮影する手順と、複数の人物の顔画像をプロフィール情報とその人物に関連する背景画像とともに登録した人物情報データベースの各人物の顔画像と前記撮影した利用者の顔画像とを比較して類似度を計算する手順と、計算した類似度が最も大きい人物に関する情報と計算した類似度を表示する手順と、撮影した利用者の顔画像と類似度が最も大きい人物の背景画像とを合成する手順とをコンピュータに実行させることを特徴とするプログラム。
【請求項１７】
利用者の顔画像カメラで撮影する手順と、複数の人物の顔画像をプロフィール情報とその人物に関連する複数の背景画像とともに登録した人物情報データベースの各人物の顔画像と前記撮影した利用者の顔画像とを比較して類似度を計算する手順と、計算した類似度が最も大きい人物に関する情報と計算した類似度を表示する手順と、撮影した利用者の顔画像と利用者が選択した類似度が最も大きい人物の背景画像とを合成する手順とをコンピュータに実行させることを特徴とするプログラム。
【請求項１８】
前記合成した画像を合成語後に表示又は印刷する手順をコンピュータに実行させることを特徴とする請求項１６又は１７のプログラム。
【発明の詳細な説明】
【技術分野】
【０００１】
本発明は利用者に類似した有名人等の人物情報を提供する撮影印刷装置、システム、方法、及びプログラムに関し、特に、データベースに登録された人物から顔認識ソフトを利用して撮影した利用者の顔に類似した人物情報を抽出して提供するとともに利用者の顔を編集して印刷する技術に関する。
【背景技術】
【０００２】
従来、利用者を撮影してその場で即座に写真を印刷する撮影印刷装置があった。この撮影印刷装置は、専用の空間を確保して利用者を定位置に座らせて主に利用者の顔を撮影してそれを数枚印刷するだけであり、背景はそのままであった。これでも、利用者の証明用の写真としては十分であった。
【０００３】
近年、プリントクラブ（登録商標）といわれる撮影印刷装置では、撮影した画像をシールに印刷することができる。さらに利用者の顔画像を電子情報として撮影することにより、画像処理技術を利用して背景画像を予め準備したものから選択して利用者の顔画像と合成するものがある。
【０００４】
例えば、特開２００１−３５２５０５号公報の発明は、背景となるフレームを選択するとともに、一定時間間隔で利用者を撮影し、それぞれ選択したフレームと合成した画像の一覧を表示して、利用者が気に入ったものを選択して印刷できるようにした技術を開示している。この発明では、利用者は単に顔画像のみでなく好みのフレームを選択してフレーム内に自分の顔を納めた画像を得られることができ、撮影印刷装置が新たな付加価値を獲得している。
【０００５】
【特許文献１】特開２００１−３５２５０５号公報
【発明の開示】
【発明が解決しようとする課題】
【０００６】
従来の撮影印刷装置では、背景等を選択できるようにして付加価値を付けたものが発明されているが、単に利用者の顔を合成して印刷するだけであり、利用者に喜ばれる情報を提供するといった付加価値は提供されていなかった。
【０００７】
そこで本発明の目的は、有名人等の人物の顔やプロフィール情報をデータベースに登録しておき、撮影した利用者の顔に近い有名人等の人物を抽出して情報を提供し、さらにその人物に関連した背景画像と利用者の顔画像とを合成して印刷するようにした撮影印刷装置、システム、方法、及びプログラムを提供することにある。
【課題を解決するための手段】
【０００８】
本発明の第１の撮影印刷装置は、利用者の顔を撮影するカメラと、文字や画像を表示する表示部と、複数の人物の顔画像をプロフィール情報とともに登録した人物情報データベースとを有し、
前記カメラで撮像した利用者の顔画像を前記人物情報データベースに登録された各人物の顔画像と比較して類似度を計算し、計算した類似度が最も大きい人物に関する情報と計算した類似度を表示部に表示することを特徴とする。
【０００９】
本発明の第２の撮影印刷装置は、利用者の顔を撮影するカメラと、文字や画像を表示する表示部と、複数の人物の顔画像をプロフィール情報とその人物に関連する背景画像とともに登録した人物情報データベースとを有し、
前記カメラで撮像した利用者の顔画像を前記人物情報データベースに登録された各人物の顔画像と比較して類似度を計算し、計算した類似度が最も大きい人物に関する情報と計算した類似度を表示部に表示し、利用者の顔画像と抽出された人物の背景画像とを合成することを特徴とする。
【００１０】
本発明の第３の撮影印刷装置は、本発明の第２の撮影印刷装置において、前記人物情報データベースは前記人物に関連する背景画像を人物毎に複数登録し、利用者に選択された背景画像と利用者の顔画像とを合成することを特徴とする。
【００１１】
本発明の第４の撮影印刷装置は、本発明の第２又は第３の撮影印刷装置において、文字や画像を印刷する印刷部を有し、前記合成した画像を印刷部で印刷することを特徴とする。
【００１２】
本発明の第５の撮影印刷装置は、本発明の第１乃至第４のいずれかの撮影印刷装置において、前記人物情報データベースは、一般に広く知られている芸能人、スポーツ選手、政治家を含む有名人に関する顔画像とプロフィール情報とを登録したことを特徴とする。
【００１３】
本発明の第１の撮影印刷システムは、利用者の顔を撮影しサービスを提供する１以上の撮影印刷装置とサーバ装置とこれらを接続するネットワークからなる撮影印刷システムであって、
前記撮影印刷装置は、利用者の顔を撮影するカメラと、文字や画像を表示する表示部とを有し、前記カメラで撮像した利用者の顔画像に最も類似する人物情報の検索要求を前記サーバ装置に送り、前記サーバ装置から返送された最も類似する人物に関する情報と類似度を表示部に表示し、
前記サーバ装置は、複数の人物の顔画像をプロフィール情報とともに登録した人物情報データベースを有し、前記検索要求を受けると受け取った利用者の顔画像を前記人物情報データベースに登録された各人物の顔画像と比較して類似度を計算し、計算した類似度が最も大きい人物に関する情報と計算した類似度を返送することを特徴とする。
【００１４】
本発明の第２の撮影印刷システムは、利用者の顔を撮影しサービスを提供する１以上の撮影印刷装置とサーバ装置とこれらを接続するネットワークからなる撮影印刷システムであって、
前記撮影印刷装置は、利用者の顔を撮影するカメラと、文字や画像を表示する表示部とを有し、前記カメラで撮像した利用者の顔画像に最も類似する人物情報の検索要求を前記サーバ装置に送り、前記サーバ装置から返送された最も類似する人物のプロフィール情報と類似度とを表示部に表示し、利用者の顔画像と返送された人物の背景画像とを合成し、
前記サーバ装置は、複数の人物の顔画像をプロフィール情報とその人物に関連する背景画像とともに登録した人物情報データベースを有し、前記検索要求を受けると受け取った利用者の顔画像を前記人物情報データベースに登録された各人物の顔画像と比較して類似度を計算し、計算した類似度が最も大きい人物のプロフィール情報と背景画像と計算した類似度とを返送することを特徴とする。
【００１５】
本発明の第３の撮影印刷システムは、本発明の第２の撮影印刷システムにおいて、前記人物情報データベースは前記人物に関連する背景画像を人物毎に複数登録し、前記撮影印刷装置は利用者に選択された背景画像と利用者の顔画像とを合成することを特徴とする。
【００１６】
本発明の第４の撮影印刷システムは、本発明の第２又は第３の撮影印刷システムにおいて、前記撮影印刷装置は、文字や画像を印刷する印刷部を有し、前記合成した画像を印刷部で印刷することを特徴とする。
【００１７】
本発明の第５の撮影印刷システムは、本発明の第１乃至第４のいずれかの撮影印刷システムにおいて、前記人物情報データベースは、一般に広く知られている芸能人、スポーツ選手を含む有名人に関する顔画像とプロフィール情報とを登録したことを特徴とする。
【００１８】
本発明の第１の撮影印刷方法は、利用者の顔画像カメラで撮影し、複数の人物の顔画像をプロフィール情報とともに登録した人物情報データベースの各人物の顔画像と前記撮影した利用者の顔画像とを比較して類似度を計算し、計算した類似度が最も大きい人物に関する情報と計算した類似度を表示することを特徴とする。
【００１９】
本発明の第２の撮影印刷方法は、利用者の顔画像カメラで撮影し、複数の人物の顔画像をプロフィール情報とその人物に関連する背景画像とともに登録した人物情報データベースの各人物の顔画像と前記撮影した利用者の顔画像とを比較して類似度を計算し、計算した類似度が最も大きい人物に関する情報と計算した類似度を表示し、撮影した利用者の顔画像と類似度が最も大きい人物の背景画像とを合成することを特徴とする。
【００２０】
本発明の第３の撮影印刷方法は、利用者の顔画像カメラで撮影し、複数の人物の顔画像をプロフィール情報とその人物に関連する複数の背景画像とともに登録した人物情報データベースの各人物の顔画像と前記撮影した利用者の顔画像とを比較して類似度を計算し、計算した類似度が最も大きい人物に関する情報と計算した類似度を表示し、撮影した利用者の顔画像と利用者が選択した類似度が最も大きい人物の背景画像とを合成することを特徴とする。
【００２１】
本発明の第４の撮影印刷方法は、本発明の第２又は第３の撮影印刷方法において、前記合成した画像を合成語後に表示又は印刷することを特徴とする。
【００２２】
本発明の第１のプログラムは、利用者の顔画像カメラで撮影する手順と、複数の人物の顔画像をプロフィール情報とともに登録した人物情報データベースの各人物の顔画像と前記撮影した利用者の顔画像とを比較して類似度を計算する手順と、計算した類似度が最も大きい人物に関する情報と計算した類似度を表示する手順とをコンピュータに実行させることを特徴とする。
【００２３】
本発明の第２のプログラムは、利用者の顔画像カメラで撮影する手順と、複数の人物の顔画像をプロフィール情報とその人物に関連する背景画像とともに登録した人物情報データベースの各人物の顔画像と前記撮影した利用者の顔画像とを比較して類似度を計算する手順と、計算した類似度が最も大きい人物に関する情報と計算した類似度を表示する手順と、撮影した利用者の顔画像と類似度が最も大きい人物の背景画像とを合成する手順とをコンピュータに実行させることを特徴とする。
【００２４】
本発明の第３のプログラムは、利用者の顔画像カメラで撮影する手順と、複数の人物の顔画像をプロフィール情報とその人物に関連する複数の背景画像とともに登録した人物情報データベースの各人物の顔画像と前記撮影した利用者の顔画像とを比較して類似度を計算する手順と、計算した類似度が最も大きい人物に関する情報と計算した類似度を表示する手順と、撮影した利用者の顔画像と利用者が選択した類似度が最も大きい人物の背景画像とを合成する手順とをコンピュータに実行させることを特徴とする。
【００２５】
本発明の第４のプログラムは、本発明の第２又は第３のプログラムにおいて、前記合成した画像を合成語後に表示又は印刷する手順をコンピュータに実行させることを特徴とする。
【発明の効果】
【００２６】
従来の撮影印刷装置では、提供されていなかった利用者と似ている有名人等の人物を抽出して情報を提供することにより、新たな付加価値を生み、新たな利用者層を取り込むことができるという効果がある。
【発明を実施するための最良の形態】
【００２７】
次に、本発明を実施するための最良の形態について図面を参照して説明する。図１は本発明の第１の形態を示すブロック図である。第１の形態の撮影印刷装置１０は、ゲームセンタ等の多くの人が利用できるところに置かれ、カメラ１１と、表示部１２と、入力部１３と、印刷部１４と、有名人情報ＤＢ１５と、制御部１６とを含んでいる。
【００２８】
カメラ１１は、利用者の顔を撮影するために使用され、撮影した画像を電子情報として出力する。表示部１２は画像や文字を表示する装置であり、例えばＣＲＴや液晶等のディスプレイ装置である。入力部１３は利用者が情報を入力するための装置であり、例えばキーボード装置や表示装置と一体化されたタッチパネル装置等である。印刷部１４は利用者の合成された顔写真を印刷する装置であり、用紙は写真用紙、シール等である。
【００２９】
有名人情報ＤＢ１５は複数の人物の顔画像やプロフィール情報を登録したデータベースである。ここで登録される人物は、芸能人、スポーツ選手、政治家、作家、研究者、宗教家、経営者等のように一般によく知られた有名人として以降説明するが、各地域の住人や、世界中の一般人としてもよく、本発明では特に限定するものではない。
【００３０】
図２は有名人情報ＤＢ１５の登録情報の一例を示した図である。図２を参照すると、登録情報は、有名人名、性別、年齢、職業、身体的情報、履歴・実績等の有名人のプロフィール情報と、有名人の顔画像情報と、有名人に特に関連した背景画像とを含んでいる。
【００３１】
例えば、東京花子さんという有名人は女性の歌手で年齢３５で東京都出身であることがわかる。さらにどのようなヒット曲があるか等の実績情報を含んでもよく、特に限定するものではない。また、顔画像は利用者の顔画像との類似性を判定するための元となる画像であり、背景画像は東京花子さんの場合は歌手なので、歌を歌う舞台の画像や、過去の有名な場面や本人の全体像等本人と関連した画像が用意される。
【００３２】
制御部１６は、撮影印刷装置１０の全体の制御を行うとともに画像処理部１７と類似度判定部１８とを含み、図示しないが記憶手段に保持されＣＰＵ上で実行されるプログラムで一部又は全てを実現される。例えば、カメラ１１に対して撮影を指示して撮影した画像を取り込んだり、入力部１３の入力を判定して決められた処理を実行したり、表示部１２に表示データを送って表示させたりする。
【００３３】
類似度判定部１８は制御部１６の指示で利用者の顔画像を受け取って、有名人情報ＤＢ１５に登録された各有名人の顔画像情報と比較して類似度を算出し、最も似ている（類似度の高い）有名人を抽出してその登録情報を制御部１６に返却する。通常、類似度判定部１８はプログラムで実現される。
【００３４】
なお、類似度の計算方法については特に限定しないが、例えば、目に似た領域の抽出と顔の判定を組み合わせた多重照合顔検出法や、予想される変動を登録画面に加えておくことで環境条件の変動へ対応する摂動空間法や、類似度の高い部分領域に着目して照合を行うため顔の一部が隠れていても照合が可能な適応的領域マッチング法等がある。
【００３５】
画像処理部１７は、制御部１６の指示に従って、利用者の顔画像と有名人の背景画像を合成したり、表示部１２へ表示する画像の生成を行い、通常はプログラムで実現される。また、撮影印刷装置１０は、図１に示していないが、撮影の代金を処理するための手段等も必要に応じて有してもよい。
【００３６】
次に、本発明の第１の形態の動作について図面を参照して説明する。図３は第１の実施の形態の動作を示したフローチャートである。まず、利用者はカメラ１１の前に位置して、入力部１３を操作して自分の顔の撮影を指示する。入力操作方法は特に限定しないが、例えば撮影のボタンを設けそのボタンを操作するようにすればよい。
【００３７】
制御部１６は入力部１３から撮影指示の入力を受けるとカメラ１１に撮影を指示し、カメラ１１は指示を受けて利用者の顔を撮影する（Ｓ５１）。撮影終了後に制御部１６は、カメラ１１が利用者の顔を写した利用者顔画像を取り込み、類似度判定部１８に類似する有名人の検索要求を行う。
【００３８】
類似度判定部１８は、検索要求を受けると受け取った利用者顔画像と有名人情報ＤＢ１５に登録される各有名人の顔画像とを比較して類似度を計算する（Ｓ５２）。類似度の計算は登録されている全ての有名人について実行してもよいが、時間を短縮するために、比較対象とする有名人の性別を利用者と同一の性別に指定するようにしてもよいし、年齢等の別の条件で特定してもかまわない。類似度判定部１８は、類似度が最も高かった有名人の登録情報を有名人情報ＤＢ１５から抽出して制御部１６へ返す。
【００３９】
制御部１６は、類似度判定部１８から情報を受け取ると有名人のプロフィール情報と類似度を表示部１２へ表示し、さらに画像処理部１７に有名人の背景画像を一覧表示形式の画面にするように指示して画像処理部１７が一覧にした背景画像の選択画面を表示部１２に表示する（Ｓ５３）。この際背景画像の一覧と有名人情報は図示しないが同一画面上に表示する。表示する類似度は例えば“類似度９０％”のように表示する。また、背景画像の一覧の中から気に入った背景画像を選択できるように工夫した画面を表示する。
【００４０】
これにより利用者は、自分と似ている有名人の情報を知ることができその有名人のプロフィール情報も知ることができる。例えば利用者の顔画像との類似度が最大の有名人が図２に示す日本太郎であった場合、性別＝男、年齢＝２５、身長＝１８０ｃｍ、出身＝大阪府、職業＝プロ野球選手（阪神タイガース、内野手）、実績＝（通算打率：０．２９０、首位打者１回）のようなプロフィール情報を入手できる。
【００４１】
利用者は一覧表示された背景画像から気に入ったものを入力部１３で選択操作して入力する。例えば、提示された有名人が日本太郎の場合、背景画像は甲子園球場の内部であったり、試合中の場面であったり、日本太郎の打撃中や走塁中の場面であったりする。なお、気に入ったものがなければ有名人に関連した背景画像以外の背景画像を選択できるようにしてもかまわない。
【００４２】
制御部１６は、背景画像の選択入力を受けると、画像処理部１７に指示して選択された背景画像と利用者の顔画像を合成させ（Ｓ５４）、合成した画像を印刷部１４に指示して印刷する（Ｓ５５）。合成画像には、有名人のプロフィール情報や類似度の情報も同時に印刷してもよい。
【００４３】
このように、利用者は単に自分の顔を印刷するだけでなく、撮影した自分の顔を利用して、類似度の高い有名人が誰であるかという情報を入手でき、さらにその有名人に強い関連を持つ画像を背景とした自分の顔の写真やシールを得ることができる。従って、撮影印刷装置１０を用いてサービスを提供していた業者は、従来若年層の女子に偏っていた利用者層を拡大し売上増に結びつけることが可能となる。
【００４４】
次に、本発明の第２の形態について図面を参照して説明する。図４は、第２の形態の構成を示したブロック図である。図１のように本発明の第１の形態では撮影印刷装置１０に有名人情報ＤＢ１５と類似度判定部１８を含んでいるが、図４のように本発明の第２の形態では有名人情報ＤＢ１５と類似度判定部１８の機能をネットワーク４０で接続されるサーバ装置３０に実装している点で異なる。
【００４５】
本発明の第２の形態の構成は、ネットワーク４０に接続される撮影印刷装置２０（図４では２０−１と２０−２の２つを記載している）とサーバ装置３０とを含む。撮影印刷装置２０は図４では２つ示しているが、接続数に制限はなく１つでも３つ以上でもよい。ネットワーク４０は例えばインターネットでも電話回線でもよく特に限定しないが相互にデータを通信できればよいが、画像データを転送するため転送速度が速いものが望ましい。
【００４６】
撮影印刷装置２０は、カメラ２１と、表示部２２と、入力部２３と、印刷部２４と、画像処理部２７を含む制御部２６と、通信部２９とを含む。カメラ２１と、表示部２２と、入力部２３と、印刷部２４と、画像処理部２７はそれぞれ図１のカメラ１１と、表示部１２と、入力部１３と、印刷部１４と、画像処理部１７と同じ機能であるので説明は省略する。
【００４７】
通信部２９はネットワーク４０と接続してサーバ装置３０との間で通信を行う機能を有する。実際の接続ではネットワーク４０との間に別の装置が介在する場合もあるがその構成は特に限定しないので図示していない。例えば、ネットワーク４０がインターネットの場合はインターネット接続業者の装置を介してネットワーク４０と接続する構成になったり、撮影印刷装置２０がＬＡＮ（Local Area Network）に接続されている場合は、ルータ装置を経由してＬＡＮからネットワーク４０に接続する構成となったりする。
【００４８】
制御部２６は第１の形態の制御部１６と比べて類似度判定部１８の機能は含んでいない点が異なるがその他の機能は同様であり、類似度判定部１８に相当するサーバ装置３０内の類似度判定部３３に検索要求する場合に通信部２９を介す手順が増えることになる。
【００４９】
サーバ装置３０は、ネットワーク４０と接続し各撮影印刷装置２０からの検索要求を受けて処理する機能を有する情報処理装置であり、有名人情報ＤＢ３１と通信部３４と類似度判定部３３を含む制御部３２とを含む。有名人情報ＤＢ３１は図１の有名人情報ＤＢ１５と同様の情報を保持するデータベースであり、登録情報も図２と同様となるので説明は省略する。
【００５０】
通信部３４はネットワーク４０と接続して制御部１６の指示で各撮影印刷装置２０との間の通信を行う。実際の接続の構成は通信部２９と同様にインターネット接続業者の装置やルータ装置等を介する。
【００５１】
制御部３２は、類似度判定部３３を含み、図示しないが記憶手段に保持されＣＰＵ上で実行されるプログラムで一部又は全てを実現され、撮影印刷装置２０からの検索要求の処理を含みサーバ装置３０全体の制御を行う。類似度判定部３３は第１の形態の類似度判定部１８と同様の機能を有し、検索要求された利用者の顔情報と有名人情報ＤＢ３１に登録された有名人の顔情報と比較し類似度を計算し最も類似度の高い有名人情報を返却する。
【００５２】
次に本発明の第２の形態の動作について説明する。図５は第２の形態の動作を撮影印刷装置２０とサーバ装置３０の動作を区別して示したフローチャートである。まず、利用者はカメラ２１の前に位置して、入力部２３を操作して自分の顔の撮影を指示する。
【００５３】
制御部２６は入力部２３から撮影指示の入力を受けるとカメラ２１に撮影を指示し、カメラ２１は指示を受けて利用者の顔を撮影する（Ｓ６１）。撮影終了後に制御部２６は、カメラ２１が利用者の顔を写した利用者の顔画像を取り込み、通信部２９に指示してサーバ装置３０に類似する有名人の検索要求を利用者の顔画像を付けて行う（Ｓ６２）。
【００５４】
サーバ装置３０の制御部３２は、通信部３４を介して撮影印刷装置２０からの検索要求を受け取ると、類似度判定部３３に検索要求の実行を指示する。類似度判定部３３は、検索要求を受けると受け取った利用者顔画像と有名人情報ＤＢ３１に登録される各有名人の顔画像とを比較して類似度を計算する（Ｓ６３）。類似度判定部３３は類似度が最も高かった有名人の登録情報を有名人情報ＤＢ３１から抽出して制御部３２へ返し、制御部３２は返された有名人情報を通信部３４に指示して要求元の撮影印刷装置２０へ返送する（Ｓ６４）。
【００５５】
制御部２６は、サーバ装置３０から有名人情報の返送を通信部２９を介して受け取ると、有名人のプロフィール情報と類似度を表示部２２に表示し、さらに画像処理部１７に有名人の背景画像を一覧表示形式の画面にするように指示して画像処理部２７が一覧にした背景画像の選択画面を表示部２２に表示する（Ｓ６５）。
【００５６】
利用者は一覧表示された背景画像から気に入ったものを入力部２３で選択操作して入力する。制御部２６は、背景画像の選択入力を受けると、画像処理部２７に指示して選択された背景画像と利用者の顔画像を合成させ（Ｓ６６）、合成した画像を印刷部２４に指示して印刷する（Ｓ６７）。
【００５７】
このように、本発明の第２の形態においても第１の形態と同様に利用者は、類似度の高い有名人が誰であるかという情報を入手でき、さらにその有名人に強い関連を持つ画像を背景とした自分の顔の写真やシールを得ることができる。
【００５８】
また、本発明の第２の形態では、撮影印刷装置を複数設置する場合、有名人情報ＤＢ３１をサーバ装置３０に置くだけで済むので撮影印刷装置のコストを削減するとともに、有名人情報の更新管理を一箇所に集中できるので各撮影印刷装置２０で実行するのに比べて運用コストを削減できる。従って、撮影印刷装置２０が多数設置される場合は第１の形態よりコスト面で有利となり、設置数が１台又は少ない場合は第１の形態が有利となり、設置台数に応じて形態を選択すればよい。
【００５９】
以上の説明では、利用者の顔画像に最も類似する有名人情報を抽出しているが、類似度が３位までの有名人を抽出して情報提供し、３人の有名人の背景情報から選択して画像合成して印刷するようにしてもよい。
【図面の簡単な説明】
【００６０】
【図１】本発明の第１の形態の構成を示すブロック図である。
【図２】有名人情報ＤＢ１５、有名人情報ＤＢ３１の登録情報の一例を示した図である。
【図３】本発明の第１の形態の動作を示すフローチャートである。
【図４】本発明の第２の形態の構成を示すブロック図である。
【図５】本発明の第２の形態の動作を示すフローチャートである。
【符号の説明】
【００６１】
１０    撮影印刷装置
１１    カメラ
１２    表示部
１３    入力部
１４    印刷部
１５    有名人情報ＤＢ
１６    制御部
１７    画像処理部
１８    類似度判定部
２０    撮影印刷装置
２１    カメラ
２２    表示部
２３    入力部
２４    印刷部
２６    制御部
２７    画像処理部
３０    サーバ装置
３１    有名人情報ＤＢ
３２    制御部
３３    類似度判定部
３４    通信部
４０    ネットワーク
【図１】
2005242433.tif 000003
【図２】
2005242433.tif 000004
【図３】
2005242433.tif 000005
【図４】
2005242433.tif 000006
【図５】
2005242433.tif 000007